(57)【要約】【課題】大人にとって癒し効果を得ることのできる人形を提供する。【解決手段】大人の指が挿入可能な大きさの指の挿入穴を有した新生児の頭部と両手の疑似体２、３、４に肌着用の布５を取付け、その肌着５をおくるみ６で覆う。そのおくるみ６の背面の開口および肌着５の背面の手の挿入穴から手を挿入して、各疑似体２、３、４に指を挿入してそれを揺動させると、人形の頭部と両手が動くことになるので、活き々として見えて、本当の新生児や乳児を手にしたような感じを抱くことができる。また、新生児の特徴的着衣であるおくるみ６を着せているので、前記した疑似体２、３、４によるリアルな顔の表情や手の外観からだけでなく、その着衣からも、新生児であることが自然と想起されて、より愛らしいものとなり、「癒し効果」が増す。【選択図】　図１
2004073494.tif 000002
【特許請求の範囲】
【請求項１】
大人の指が挿入可能な大きさの指の挿入穴を有した新生児または乳児の頭部と両手の疑似体に肌着を模したシートが取付けられ、そのシートを覆って、おくるみを模したシートが取付けられているとともに、前記指の挿入穴に手の指を挿入すると、前記肌着を模したシートが手を覆い、そのシートが手を覆った部分が前記新生児または乳児の、肌着をまとった胴部に対応するような外観を呈するようになっている癒し人形。
【発明の詳細な説明】
【０００１】
【発明の属する技術分野】
この発明は癒し人形に係り、詳しくは、従来より癒し効果を高めた大人向きのものに関する。
【０００２】
【従来の技術と発明が解決しようとする課題】
核家族化が進み、さらに、高齢化が進む中にあって、夫婦だけ、あるいは一人暮らしの老人の世帯が増えてきている。
【０００３】
本願発明者は、そのような孤独な高齢者に対して某か「癒し」を与えることのできるものがないかと考え、その結果、愛らしさを醸し出す新規な人形を提案しようとしたのである。
【０００４】
そのような人形の代表的な一従来例として、幼児を模した「キューピー」の人形があるが、これは、子供の玩具としての域を出ず、大人に対して、癒し効果をもたらす程のものではない。
【０００５】
そこで、この発明は、大人、特に、前記した高齢者に対し「癒し」を与えることのできるような人形を提供することにある。
【０００６】
【課題を解決するための手段】
上記課題を解決するために、この発明の人形は、人間が最も愛らしい姿を見せる新生児または乳児のものを対象とし、大人の指が挿入可能な大きさの指の挿入穴を有した新生児または乳児の頭部と両手の疑似体に肌着を模したシートが取付けられ、そのシートを覆って、おくるみを模したシートが取付けられているとともに、前記指の挿入穴に手の指を挿入すると、前記肌着を模したシートが手を覆い、そのシートが手を覆った部分が前記新生児または乳児の、肌着をまとった胴部に対応するような外観を呈する構成のものとしたのである。
【０００７】
このような構成の人形は、その新生児または幼児の頭部と両手を、例えば、樹脂成形によって疑似体に仕上げているので、前記した「キューピー人形」のような幼稚な表情ではなく、大人でも見紛うようなリアルな表情を呈することになる。
【０００８】
そして、各疑似体に指を入れて指を動かして、それを揺動させることができるので、そうすると、人形の頭部と両手が動くことになり、活き々として見えて、本当の新生児や乳児を手にしたような感じを抱くことができて心が癒される。
【０００９】
また、新生児または乳児の特徴的な着衣である「おくるみ」を着せているので、前記した疑似体によるリアルな顔の表情や手の外観からだけでなく、その着衣からも、新生児または乳児であることが自然と想起されるので、より愛らしいものとなり、「癒し効果」が増す。
【００１０】
【発明の実施の形態】
以下、図を参照してこの発明の実施の形態を説明する。図１は、この実施形態の人形１の全体図であり、図２は図１のものを方向を変えて見た部分斜視図である。図に示すように、この実施形態の人形１は、新生児の疑似頭部２と左右の疑似手（以下、右手に対応するものに３、左手に対応するものに４の符号を付す）と、それら疑似体２、３、４に装着された着衣の肌着５と、それをとりまく「おくるみ」６とから成る。疑似頭部２と左右の疑似手３、４は樹脂成形によって、リアルな表情や様相に形成している。次に、図３乃至図５を参照して、上記各要素の構成について詳述する。
【００１１】
図３は、図１の分解図であるが、着衣については、おくるみ６を除いた肌着５だけを描いている。図に示すように、疑似頭部２の首の端部および疑似手３、４の手首の端部が、それぞれ外向きのフランジ状になっており、そのフランジ部で、次に示す着衣の取り付け穴５Ｈ、５Ｒ、５Ｌに係止できるようになっている。各フランジの穴２Ｈ、３Ｈ、４Ｈはそれぞれの疑似体２、３、４の内部に至る指の挿入穴になっており、大人の指が挿入できる大きさになっている。
【００１２】
他方、肌着５は、合成繊維で形成した、外形が概ね矩形の袋であり、二枚の布片を重ねて、その全周に渡って縫着して袋状にしたものである。その矩形の上辺に沿って、前記した疑似頭部２と左右の疑似手３、４が取りつく三つの取り付け穴５Ｈ、５Ｒ、５Ｌが形成されている。図で真ん中の穴５Ｈが疑似頭部２が取りつく穴、左の穴５Ｒが右の疑似手３が取り付く穴、右の穴５Ｌが左の疑似手４が取り付く穴である。各取り付け穴５Ｈ、５Ｒ、５Ｌは、そこに取りつく疑似体に設けられた前記フランジ部のフランジの外形より小さく、そのフランジ部に設けられた前記指の挿入穴２Ｈ、３Ｈ、４Ｈより僅かに大きな大きさの穴となっている。疑似体２、３、４を取り付ける際には、先ず、各疑似体２、３、４のフランジ部のフランジの外形を指でおし潰して、取り付け穴５Ｈ、５Ｒ、５Ｌに挿入できるような形状にして、その取り付け穴５Ｈ、５Ｒ、５Ｌに挿入する。挿入後、指の力を抜くと、樹脂の弾性によってフランジが元の形状に戻るので、フランジが取り付け穴５Ｈ、５Ｒ、５Ｌに係止して、そこから抜けなくなる。こうして、疑似体２、３、４を肌着５としての袋に取り付けることができる。
【００１３】
その肌着５の背面には、図３に破線で示すように、手の挿入穴７が設けてあり、この穴７から肌着５の内部に手を挿入して、各疑似体２、３、４の指の挿入穴２Ｈ、３Ｈ、４Ｈに指が挿入できるようになっている。その肌着５の手の挿入穴７から一方の手を入れて、例えば、右手をいれた場合、疑似頭部２には中指を、右の疑似手３には薬指を、また、左の疑似手４には人指し指を挿入すると、その肌着５の部分が新生児の、肌着をまとった胴部に対応するような外観を呈するようになる。
【００１４】
次に、この発明の人形１は、前記肌着５だけでなく、その肌着５の上におくるみ６を装着したことを特徴の一つとしたものであるが、この実施形態では、そのおくるみ６の肌着５に対する装着形態として、その肌着５の背面から前面にかけておくるみ６を縫着している。このおくるみ６は、図４および図５に示すように、表布６ａと裏布６ｂに木綿を用い、内部にフェルト芯６ｃを詰めて柔らか味を出した造りにするとともに、おくるみ６の上縁、およびそれに連なる胸元の縁部は、愛らしさを強調するため、フリル８で装飾している。おくるみ６本体は、この実施形態のようにフェルト芯６ｃを表布６ａと裏布６ｂで挟んだような構成でなく、キルティングなどの厚い布一枚で作ってもよい。
【００１５】
ここで、前記したように、肌着５の背面には疑似体２、３、４に指を挿入するのに、肌着５の背面に設けた手の挿入穴７から行うので、その肌着５の背面を覆う、おくるみ６の背面にも、その肌着５の手の挿入穴７に繋がる開口９を設けている。
【００１６】
以上のような人形のおくるみ６の開口９および肌着５の手の挿入穴７から手を挿入して、各疑似体２、３、４に指を挿入してそれを揺動させると、人形の頭部と両手が動くことになるので、活き々として見えて、本当の新生児や乳児を手にしたような感じを抱くことができ、心が癒される。
【００１７】
【発明の効果】
以上説明したように、この発明の人形は、頭部と両手を疑似体に形成したので、表情がリアルなものとなり、新生児や乳児に特徴的なおくるみ用のシートを装着させたので、より愛らしく、大人にとっても癒し効果を得ることのできるものとなる。
【図面の簡単な説明】
【図１】実施形態の人形の全体斜視図である。
【図２】（ａ）、（ｂ）それぞれに図１の視線の方向を変えて見た部分斜視図を示したものである。
【図３】実施形態の人形の分解図である。
【図４】実施形態の人形の側断面図である。
【図５】実施形態の人形の横断面図である。
【符号の説明】
１　人形
２　疑似頭部
３　右の疑似手
４　左の疑似手
２Ｈ、３Ｈ、４Ｈ　指の挿入穴
５　肌着
６　おくるみ
７　手の挿入穴
８　フリル
９　開口
【図１】
2004073494.tif 000003
【図２】
2004073494.tif 000004
【図３】
2004073494.tif 000005
【図４】
2004073494.tif 000006
【図５】
2004073494.tif 000007